(57)【特許請求の範囲】
【請求項１】
外部電源により給電され、運転モードが通常モード及び展示用のデモモードを有する据え置き型の電気機器において、
外部電源が遮断されたか否かを判断する判断部と、
該判断部により外部電源が遮断されたと判断された後且つ外部電源が再投入される前の自機器の圧力変化を検知することで自機器が移動されたことを検知する検知部と、
該検知部の検知結果を記憶する記憶部と、
該記憶部に記憶されている検知結果に基づいて、前記運転モードを通常モード又はデモモードに設定する設定部と
を備え、
前記設定部は、外部電源が遮断された後に自機器が移動されたことが検知され、かつ外部電源が遮断される直前の運転モードがデモモードであった場合に、運転モードを通常モードに設定して自機器を起動させるようにしてあることを特徴とする電気機器。
【請求項２】
外部電源により給電され、運転モードが通常モード及び展示用のデモモードを有する据え置き型の電気機器において、
前記外部電源が遮断された後に自機器が移動されたことを検知する検知部と、
該検知部の検知結果を記憶する記憶部と、
該記憶部に記憶されている検知結果に基づいて、前記運転モードを通常モード又はデモモードに設定する設定部と
を備え、
前記検知部は、自機器が傾いたことを検知することにより、自機器が移動されたことを検知するようにしてあることを特徴とする電気機器。
【請求項３】
前記検知部は、自機器が移動された場合に、電力を発生するようにしてあり、
前記記憶部は、前記検知部に発生した電力により記憶状態を変化させるようにしてあることを特徴とする請求項１又は請求項２に記載の電気機器。
【請求項４】
前記検知部は、自機器が移動された場合に、電気抵抗が変化するようにしてあり、
前記記憶部は、前記検知部の電気抵抗の変化により記憶状態を変化させるようにしてあることを特徴とする請求項１又は請求項２に記載の電気機器。 
【発明の詳細な説明】
【技術分野】
【０００１】
本発明は、デモモードから通常モードに自動的に変更することが可能な据え置き型の電気機器に関する。
【背景技術】
【０００２】
近年、冷蔵庫、洗濯機、電子レンジ及びテレビジョン受信機など、様々な電気機器には、マイコンの制御により、様々な便利機能が付与されている。例えば、購買者の購買意欲を喚起するために、店頭展示用のデモモードが付与されている。当該デモモードでは、通常モードと異なり、操作パネルなどの操作ボタンを押しても、運転動作を切り替えない。例えば、冷蔵庫では、デモモードで起動すると、圧縮機が起動せず、冷却運転が行われない。
【０００３】
例えば、特許文献１には、通常モードとデモモードとを備える家庭電化機器が開示されている。このような家庭電化機器では、デモモードの投入及び解除を異なる操作方法により行う。また、解除操作を行わないとデモモードが解除しない。
【０００４】
また、特許文献２には、空気調和機が開示されている。このような空気調和機は、一度デモモードを設定することにより、意識的に解除しない限り、次回電源投入時に再設定しなくてもデモモードで起動させることができる。
【０００５】
また、特許文献３には、店頭展示用のデモモードを備えた冷蔵庫が開示されている。このような冷蔵庫では、デモモードは特定の操作により解除される。例えば、全ての扉を閉めた状態で、冷蔵室温度調節ボタン、急速製氷ボタンを同時に５秒以上押圧操作することによりデモモードを解除することができる。
【先行技術文献】
【特許文献】
【０００６】
【特許文献１】特開２００４−３３３０７９号公報
【特許文献２】特許第４４２２８７９号公報
【特許文献３】特許第４９０８３６８号公報
【発明の概要】
【発明が解決しようとする課題】
【０００７】
しかしながら、特許文献１〜３では、デモモードを解除するために、解除操作を必要とするため、展示品とされた電気機器が購入された際に、販売店又は設置者がデモモードの解除操作を忘れる場合がある。このような場合、電気機器は、設置された後に外部電源が投入されると、デモモードで起動する。電気機器を通常モードで運転させるために、デモモードの解除操作を取扱説明書などにより調べることがあり、手間がかかる。また、電気機器がデモモードで起動されたことに使用者が気付かないと、実際の使用に支障がでる。例えば冷蔵庫には、庫内に冷気が流通していないため貯蔵物を傷めることになり、利便性が悪い問題がある。
【０００８】
本発明は斯かる事情に鑑みてなされたものであり、デモモードから通常モードに自動的に変更することが可能な据え置き型の電気機器を提供することを目的とする。
【課題を解決するための手段】
【０００９】
本発明に係る電気機器は、外部電源により給電され、運転モードが通常モード及び展示用のデモモードを有する据え置き型の電気機器において、外部電源が遮断されたか否かを判断する判断部と、該判断部により外部電源が遮断されたと判断された後且つ外部電源が再投入される前の自機器の圧力変化を検知することで自機器が移動されたことを検知する検知部と、該記憶部に記憶されている検知結果に基づいて、前記運転モードを通常モード又はデモモードに設定する設定部とを備え、前記設定部は、外部電源が遮断された後に自機器が移動されたことが検知され、かつ外部電源が遮断される直前の運転モードがデモモードであった場合に、運転モードを通常モードに設定して自機器を起動させるようにしてあることを特徴とする。
【００１１】
本発明に係る電気機器は、外部電源により給電され、運転モードが通常モード及び展示用のデモモードを有する据え置き型の電気機器において、前記外部電源が遮断された後に自機器が移動されたことを検知する検知部と、該検知部の検知結果を記憶する記憶部と、該記憶部に記憶されている検知結果に基づいて、前記運転モードを通常モード又はデモモードに設定する設定部とを備え、前記検知部は、自機器が傾いたことを検知することにより、自機器が移動されたことを検知するようにしてあることを特徴とする。
【００１２】
本発明に係る電気機器は、前記検知部は、自機器が移動された場合に、電力を発生するようにしてあり、前記記憶部は、前記検知部に発生した電力により記憶状態を変化させるようにしてあることを特徴とする。
【００１３】
本発明に係る電気機器は、前記検知部は、自機器が移動された場合に、電気抵抗が変化するようにしてあり、前記記憶部は、前記検知部の電気抵抗の変化により記憶状態を変化させるようにしてあることを特徴とする。
【発明の効果】
【００１４】
本発明によれば、電気機器が運送された旨を検出して、デモモードから通常モードに自動に変更することができるため、展示品とされた電気機器は、購入された後にデモモードの解除操作がなされなくても、通常モードで起動することができる。
【図面の簡単な説明】
【００１５】
【図１】実施の形態１に係る冷蔵庫の正面図である。
【図２】実施の形態１に係る冷蔵庫の要部構成を示すブロック図である。
【図３】実施の形態１に係る冷蔵庫の要部の配置例を示す模式図である。
【図４】実施の形態１に係る冷蔵庫のＣＰＵが実行する処理のフローチャートである。
【図５】実施の形態２に係る冷蔵庫の要部構成を示すブロック図である。
【図６】実施の形態３に係る冷蔵庫の要部構成を示すブロック図である。
【図７】実施の形態３に係る冷蔵庫の要部の配置例を示す模式図である
【図８】実施の形態３に係る冷蔵庫のＣＰＵが実行する処理のフローチャートである。
【図９】実施の形態４に係る冷蔵庫の要部の配置例を示す模式図である。
【発明を実施するための形態】
【００１６】
（実施の形態１）
図１は実施の形態１に係る冷蔵庫の正面図である。冷蔵庫は、断熱箱体からなり内部が冷蔵室及び冷凍室などとされる本体１０と、本体１０のハウジングの底板１１に設けられている４つの脚部１２、１２…とを備える。冷蔵庫は、各脚部１２の支持により床などに据え置いて使用される。
【００１７】
冷蔵庫は、外部電源（図示しない）により給電され、運転モードが通常モード、及び店頭展示用のデモモードを有する。通常モードでは、圧縮機などを運転させて、各室内の冷却を行う。デモモードでは、展示用のため、圧縮機を停止させて冷却を行わず、冷蔵庫の扉が開けてある期間のみに庫内灯を点灯させる。
【００１８】
図２は実施の形態１に係る冷蔵庫の要部構成を示すブロック図である。図２に示すように、冷蔵庫は、給電回路２と、圧電素子３と、コンデンサ４と、マイコン５とを備える。
【００１９】
給電回路２は、プラグなどを介して、外部電源から電力を受けて、冷蔵庫の内部に給電する。圧電素子３は、冷蔵庫が移動された場合、衝撃などにより圧力が変化し、起電力を発生する。コンデンサ４は、圧電素子３に接続されており、圧電素子３の起電力により蓄電される。
【００２０】
マイコン５は、ＣＰＵ５０、インターフェイス５１、及びメモリ５２を備える。マイコン５は、インターフェイス５１を介して、冷蔵庫の各部と信号又はデータを入出力して冷蔵庫の各部を制御する。
【００２１】
インターフェイス５１は、例えば、給電回路２の電圧を示す給電回路電圧信号、及びコンデンサ４の電圧を示すコンデンサ電圧信号などが入力され、これらの信号をＣＰＵ５０に出力する。
【００２２】
メモリ５２は、ＣＰＵ５０が実行すべき制御プログラム、処理に必要な各種データなどを予め記憶している。メモリ５２はＣＰＵ５０による制御プログラムの実行時に発生するデータを一時的に記憶する。また、メモリ５２は、デモモードを示すモードデータを記憶するための不発揮性領域を備える。デモモードに設定された場合には、モードデータがメモリ５２の不発揮性領域に記憶される。デモモードが解除された場合、又は通常モードに設定された場合には、メモリ５２の不発揮性領域に記憶されたモードデータがクリアされる。
【００２３】
ＣＰＵ５０は、メモリ５２に記憶してある制御プログラムを読み出して適宜実行することにより種々の処理を行う。ＣＰＵ５０は、給電回路電圧信号に基づいて、外部電源の投入及び遮断を検出する。ＣＰＵ５０は、コンデンサ電圧信号に基づいて、コンデンサ４に蓄電されているか否かを検出する。また、ＣＰＵ５０は、コンデンサ４の蓄電状態及びメモリ５２の不発揮性領域の記憶状態に基づいて、冷蔵庫の運転モードを設定する。具体的には、ＣＰＵ５０は、モードデータを残すことにより、運転モードをデモモードに設定するが、モードデータをクリアすることにより、運転モードを通常モードに設定する。なお、ＣＰＵ５０は、外部電源が投入された場合に、設定された運転モードで冷蔵庫を起動させる。
【００２４】
図３は実施の形態１に係る冷蔵庫の要部の配置例を示す模式図である。図３は、説明の便宜上、本体１０、底板１１及び脚部１２を点線で示している。図３に示すように、１つの脚部１２の内部には、圧電素子３が埋め込まれている。脚部１２に衝撃がかかると、圧電素子３には、圧力変化により起電力を発生する。
【００２５】
本体１０のハウジング内には、コンデンサ４が底板１１の内面に設けられている。マイコン５はコンデンサ４に接続されている。コンデンサ４は、圧電素子３の起電力により蓄電されるため、外部からのノイズの影響を受けにくい場所に設置することが好ましく、また、圧電素子３に近づく箇所に設けることが好ましい。なお、図示しないが、圧電素子３とコンデンサ４との間には、圧電素子３に発生した起電力を整流して直流化する回路を設けることが好ましい。
【００２６】
このような冷蔵庫が展示品として使用される場合には、デモモードに設定されているため、メモリ５２の不発揮記憶領域にモードデータが記憶されている。展示品とされた冷蔵庫は、購入された場合に、外部電源を遮断して移動する必要がある。移動時には、脚部１２への衝撃などにより、脚部１２に埋め込んだ圧電素子３にかかる圧力が変化し、起電力を発生する。当該起電力により、コンデンサ４は蓄電される。このように、外部電源が遮断された後に冷蔵庫が移動された場合には、圧電素子３が起電力を発生して脚部１２への圧力変化を検知し、コンデンサ４が蓄電により当該検知結果を記憶する。
【００２７】
一方で、展示品とされた冷蔵庫は、外部電源が遮断されたが移動されなかった場合に、圧電素子３に起電力を発生せず、コンデンサ４が蓄電されない。
【００２８】
外部電源が再投入されると、ＣＰＵ５０は、外部電源が遮断された後に冷蔵庫が移動されたことが検知され、かつ外部電源が遮断される直前の運転モードがデモモードであった場合に、運転モードを通常モードに設定して冷蔵庫を起動させる。また、ＣＰＵ５０は、外部電源が遮断された後に冷蔵庫が移動されたことが検知していない場合に、冷蔵庫を電源が遮断される直前の運転モードを維持して冷蔵庫を起動させる。
【００２９】
図４は実施の形態１に係る冷蔵庫のＣＰＵ５０が実行する処理のフローチャートである。ＣＰＵ５０は外部電源が投入されたと判断した場合に、処理を実行する。なお、ＣＰＵ５０は外部電源が投入されている期間中の適切な時点又は外部電源が遮断された時点に、コンデンサ４を放電しておく。これにより、外部電源が投入されている期間中にコンデンサ４に蓄えられた電荷によって、外部電源の再投入時に冷蔵庫が移動されたと誤判断することを防止できる。
【００３０】
ＣＰＵ５０は冷蔵庫の運転モードがデモモードに設定されているか否かを判断する（ステップＳ１）。
【００３１】
冷蔵庫の運転モードがデモモードに設定されていると判断した場合（ステップＳ１：ＹＥＳ）、ＣＰＵ５０はコンデンサ４が蓄電されているか否かを判断する（ステップＳ２）。
【００３２】
コンデンサ４が蓄電されていると判断した場合（ステップＳ２：ＹＥＳ）、ＣＰＵ５０は、冷蔵庫の運転モードを通常モードに設定し（ステップＳ３）、冷蔵庫を通常モードで起動させ（ステップＳ４）、処理を終了する。
【００３３】
ＣＰＵ５０は、冷蔵庫の運転モードがデモモードに設定されていないと判断した場合（ステップＳ１：ＮＯ）、処理をステップＳ４に移行する。
【００３４】
ＣＰＵ５０は、コンデンサ４が蓄電されていないと判断した場合（ステップＳ２：ＮＯ）、冷蔵庫をデモモードで起動させ（ステップＳ５）、処理を終了する。
【００３５】
実施の形態１では、冷蔵庫の脚部１２に圧電素子３を組み込み、冷蔵庫が移動された時に、圧力変化により圧電素子３に発生した起電力でコンデンサ４を蓄電させ、ＣＰＵ５０にてコンデンサ４の蓄電状態及びメモリ５２の不発揮性領域の記憶状態に基づいて、運転モードを通常モード又はデモモードに設定する。これにより、展示品とされた冷蔵庫は、購入された後にデモモードの解除操作がなされなくても、外部電源の投入時にデモモードから通常モードに自動的に変更して起動することができる。その一方で、展示品として運転する状態では、冷蔵庫は移動されないため、閉店などで外部電源が遮断されたとしても、翌日開店時にデモモードを維持して運転できる。
【００３６】
実施の形態１では、圧電素子３の起電力により蓄電されるコンデンサ４を設けた例について説明したが、コンデンサ４の代わりに、圧電素子３の起電力により晶質が変化する結晶体、又は圧電素子３の起電力により磁化パターンが変化する磁性体から構成される素子を設けてもよい。
【００３７】
（実施の形態２）
実施の形態１では、圧電素子３の起電力によりコンデンサ４を蓄電させる形態について説明したが、実施の形態２では、圧電素子３の起電力によりマイコン５のメモリ５２の不発揮性領域の記憶状態を変化させる形態について説明する。なお、以降の説明において、実施の形態１と同様の構成については、実施の形態１を参照するものとし、その説明を省略する。
【００３８】
図５は実施の形態２に係る冷蔵庫の要部構成を示すブロック図である。実施の形態２に係る冷蔵庫では、実施の形態１におけるコンデンサ４が設けられておらず、圧電素子３がインターフェイス５１に接続されている。圧電素子３に発生した起電力により、メモリ５２の不発揮性領域の記憶内容がクリアされる。また、図示しないが、圧電素子３とインターフェイス５１との間には、圧電素子３に発生した起電力を整流して直流化する回路を設けることが好ましい。
【００３９】
このような冷蔵庫が展示品として使用される場合には、デモモードに設定されているため、メモリ５２の不発揮性領域にモードデータが記憶されている。展示品とされた冷蔵庫は、外部電源が遮断され移動されると、脚部１２への衝撃などにより、圧電素子３に圧力が変化して起電力を発生する。当該起電力は、インターフェイス５１を介して、メモリ５２の不発揮性領域に記憶されているモードデータをクリアする。
【００４０】
一方で、展示品とされた冷蔵庫は、外部電源が遮断されたが移動されなかった場合に、圧電素子３に起電力を発生せず、モードデータがメモリ５２の不発揮性領域に残っている。
【００４１】
外部電源が投入されると、ＣＰＵ５０は、メモリ５２の不発揮性領域にモードデータが記憶されている場合に冷蔵庫をデモモードで起動させるが、メモリ５２の不発揮性領域にモードデータが記憶されていない場合に、冷蔵庫を通常モードで起動させる。
【００４２】
実施の形態２では、冷蔵庫の脚部１２に圧電素子３を組み込み、冷蔵庫が移動された時に、圧力変化により圧電素子３に発生した起電力でメモリ５２の不発揮性領域にモードデータをクリアする。これにより、コンデンサ４等の外部記憶素子を必要とせずに、簡単な構成で冷蔵庫の運転モードを設定することができる。
【００４３】
（実施の形態３）
実施の形態１、２では、冷蔵庫が移動されたことを圧電素子３にて検知する形態について説明したが、実施の形態３では、メカニカルスイッチにて検知する形態について説明する。なお、以降の説明において、実施の形態１と同様の構成については、実施の形態１を参照するものとし、その説明を省略する。
【００４４】
図６は実施の形態３に係る冷蔵庫の要部構成を示すブロック図である。図６に示すように、冷蔵庫は、給電回路２と、コンデンサ４と、メカニカルスイッチ７と、マイコン５とを備える。
【００４５】
コンデンサ４は、冷蔵庫の外部電源が投入されている期間中に給電回路２の電力にて充電しておき、外部電源が遮断されても一定時間、例えば２、３日間に亘って電荷が残留するように構成されている。メカニカルスイッチ７は、コンデンサ４に接続されており、圧力変化によりオンとされ、コンデンサ４を放電させるように構成されている。なお、冷蔵庫が通常モードに設定されている場合には、冷蔵庫の移動判定が不要のため、外部電源が投入されている期間中にコンデンサ４を充電しないようにしてもよい。これにより、殆どの運転時間を占める通常モードでコンデンサ４への電力供給を絶つため、省電力化できる。
【００４６】
図７は実施の形態３に係る冷蔵庫の要部の配置例を示す模式図である。図７に示すように、脚部１２の内部には、実施の形態１における圧電素子３の代わりに、メカニカルスイッチ７が埋め込まれている。
【００４７】
このような冷蔵庫が展示品として使用される場合には、デモモードに設定されているため、メモリ５２の不発揮記憶領域にモードデータが記憶されており、コンデンサ４が給電回路２の電力にて充電しておく。展示品とされた冷蔵庫は、外部電源が遮断され移動されると、脚部１２が一度浮くなどにより、メカニカルスイッチ７にかかる圧力が変化し、メカニカルスイッチ７がオンとされる。このため、コンデンサ４は放電される。このように、外部電源が遮断された後に冷蔵庫が移動された場合には、メカニカルスイッチ７の電気抵抗が変化して、脚部１２への圧力変化を検知し、コンデンサ４が放電により検知結果を記憶する。
【００４８】
一方で、展示品とされた冷蔵庫は、外部電源が遮断されたが移動されなかった場合に、メカニカルスイッチ７がオンとされず、コンデンサ４が放電されない。即ち、外部電源が遮断された後に、冷蔵庫が移動されれば、コンデンサ４に電荷が残っていないが、冷蔵庫が移動されなければ、コンデンサ４に電荷が残っている。このように、コンデンサ４の蓄電状態に基づいて、外部電源が遮断された後に冷蔵庫が移動されたか否かを判断することができる。
【００４９】
図８は実施の形態３に係る冷蔵庫のＣＰＵ５０が実行する処理のフローチャートである。ＣＰＵ５０は外部電源が投入されたと判断した場合に、処理を実行する。
【００５０】
ＣＰＵ５０は冷蔵庫の運転モードがデモモードに設定されているか否かを判断する（ステップＳ１１）。
【００５１】
冷蔵庫の運転モードがデモモードに設定されていると判断した場合（ステップＳ１１：ＹＥＳ）、ＣＰＵ５０はコンデンサ４が蓄電されているか否かを判断する（ステップＳ１２）。
【００５２】
コンデンサ４が蓄電されていないと判断した場合（ステップＳ１２：ＮＯ）、ＣＰＵ５０は、冷蔵庫の運転モードを通常モードに設定し（ステップＳ１３）、冷蔵庫を通常モードで起動させ（ステップＳ１４）、処理を終了する。
【００５３】
ＣＰＵ５０は、冷蔵庫の運転モードがデモモードに設定されていないと判断した場合（ステップＳ１１：ＮＯ）、処理をステップＳ１４に移行する。
【００５４】
ＣＰＵ５０は、コンデンサ４が蓄電されていると判断した場合（ステップＳ１２：ＹＥＳ）、冷蔵庫をデモモードで起動させ（ステップＳ１５）、処理を終了する。
【００５５】
実施の形態３では、メカニカルスイッチ７を設けることにより、簡単な構成で冷蔵庫の移動を検知することができる。
【００５６】
実施の形態３では、圧力変化を検知できるメカニカルスイッチ７を設けた例について説明したが、メカニカルスイッチ７の代わりに、傾きを検知できる水銀スイッチなどの流体スイッチ、又は傾きによる磁石移動を検知するリードスイッチなどを設けてもよい。また、感振センサなど、傾きにより内部の球体などの物体が移動するようなセンサを設け、物体の移動によりスイッチを作動させるようにしてもよい。このように、冷蔵庫が傾いたことを検知することにより、冷蔵庫が移動されたことを検知することができる。
【００５７】
また、実施の形態３では、実施の形態１、２における圧電素子３を併設してもよい。外部電源が遮断された後に冷蔵庫が移動された場合に、圧電素子３に起電力が発生し当該起電力を整流して、運転中に充電されたコンデンサ４の電位と逆の電位を与えれば、コンデンサ４の放電電位以上の電位差が生じる。これにより、より確実に移動を検知することができる。
【００５８】
さらに、実施の形態３では、冷蔵庫が移動されたことをコンデンサ４にて記憶する例について説明したが、メカニカルスイッチ７のオンによってコンデンサ４の放電電力をマイコン５に供給することで、コンデンサ４の放電電力にて、実施の形態２のようにメモリ５２の不発揮性領域の記憶内容をクリアするようにしてもよい。これにより、簡単な構成で冷蔵庫の運転モードを設定することができる。
【００５９】
（実施の形態４）
実施の形態１、２では、圧電素子３にて冷蔵庫の移動を検知する形態について説明したが、実施の形態４では、コイル及びその内部を移動できる磁性体にて、冷蔵庫の移動を検知する形態について説明する。なお、以降の説明において、実施の形態１、２と同様の構成については、実施の形態１、２を参照するものとし、その説明を省略する。
【００６０】
図９は実施の形態４に係る冷蔵庫の要部の配置例を示す模式図である。図９に示すように、冷蔵庫の本体１１と各脚部１２との間には、例えば弾性体からなる制振部材１３が設けられている。制振部材１３により、冷蔵庫の本体１１と各脚部１２との間には、応力の変化に応じて変形する隙間が形成されている。
【００６１】
制振部材１３の内部には、例えば柱状の磁性体８が縦姿勢で貫通するように設けられている。本体１０のハウジング内には、底板１１の内面にコイル９が設けられている。コイル９は、軸線方向が磁性体８の軸線方向とほぼ同じように設けられている。磁性体８は、一端部が脚部１２の内部に固定し、他端部が本体１０のハウジング内まで延びており、冷蔵庫の本体１１と各脚部１２との間の隙間が小さくなることに伴い、磁性体８の他端部がコイル９の内部へ進入するように設けられている。
【００６２】
冷蔵庫が移動されると、移動時の衝撃などにより、制振部材１３により形成された隙間が小さくなる。脚部１２の内部に埋め込んだ磁性体８は、他端部がコイル９の内部へ進入する。コイル９の内部を磁性体８が移動するため、コイル９内の磁界が変動し、電磁誘導によりコイル９に起電力を発生する。このように、実施の形態４では、脚部１２及び本体１０に磁性体８及びコイル９を夫々に組み込み、移動時の脚部１２の圧力変化によってコイル９に発生した起電力を使用して冷蔵庫の移動を検知することができる。
【００６３】
実施の形態４では、実施の形態１のようにコンデンサ４を設けて、コイル９に発生した起電力にてコンデンサ４を蓄電させて、冷蔵庫が移動されたことを記憶するようにしてもよいし、実施の形態２のように、コイル９に発生した起電力にてメモリ５２の不発揮性記憶領域に記憶されたモードデータをクリアするようにしてもよい。
【００６４】
実施の形態４では、脚部１２が衝撃を受けた際に磁性体８がコイル９の内部を移動するように構成されているが、脚部１２が設置面から浮いた際に磁性体８がコイル９の内部から抜けるように移動するときにコイル９に発生した起電力を使用してもよい。さらに、冷蔵庫が所定角度以上に傾いた際に磁性体８がコイル９の内部を移動するように構成されてもよい。このように、冷蔵庫が傾いたことを検知することにより、冷蔵庫が移動されたことを検知することができる。
【００６５】
以上の実施の形態では、外部電源の投入及び遮断は、給電回路電圧信号に基づいて判断するが、これに限らず、冷蔵庫のプラグの挿抜を検出することにより判断してもよいし、冷蔵庫の電源スイッチの通断を検出することにより判断してもよい。
【００６６】
以上の実施の形態では、デモモードが解除される場合には、メモリ５２の不発揮性領域に記憶されているモードデータがクリアされるが、メモリ５２の不発揮性領域にデモモードの解除を示す解除データを書き込んでもよい。このような場合、ＣＰＵは解除データに基づいてデモモードを解除し、通常モードで冷蔵庫を運転させる。
【００６７】
以上の実施の形態では、冷蔵庫の移動を検出ための圧電素子３、メカニカルスイッチ７、及び磁性体８などは、脚部１２の内部に設けられているが、脚部１２の付近に設けられてもよい。また、これらの部品を設けた脚部１２の個数について、特に限定されないが、１個であってもよいし、複数個であってもよい。また、冷蔵庫の傾きを検知する場合には、冷蔵庫の移動を検出するための素子は、冷蔵庫の任意の箇所への設置が可能である。
【００６８】
以上の実施の形態では、電気機器については、冷蔵庫を例として説明したが、これに限らず、洗濯機、空気調和機、電子レンジ及びテレビジョン受信機などであってもよい。冷蔵庫など床又は台に設置される電気機器では、垂直方向に自重がかかるので、垂直方向の圧力変化に基づいて移動を検知する。空気調和機など壁に設置される電気機器では、横方向に壁に押し当てられているので、壁から取り外す際の横方向の圧力変化に基づいて移動を検知する。
【００６９】
本発明に係る電気機器は、外部電源により給電され、運転モードが通常モード及び展示用のデモモードを有する据え置き型の電気機器において、前記外部電源が遮断された後に自機器が移動されたことを検知する検知部（３，７，８，９）と、該検知部の検知結果を記憶する記憶部（４，５２）と、該記憶部（４，５２）に記憶されている検知結果に基づいて、前記運転モードを通常モード又はデモモードに設定する設定部（５０）とを備えることを特徴とする。
【００７０】
本発明において、外部電源が遮断された後に電気機器が移動されたことを検知し、検知結果を記憶し、記憶されている検知結果に基づいて、電気機器の運転モードを通常モード又はデモモードに設定する。これにより、外部電源が遮断された後の再投入時に、外部電源が遮断される直前にデモモードで運転した電気機器は、移動された場合に通常モードで運転するとともに、移動されなかった場合にデモモードで運転することができる。
【００７１】
本発明に係る電気機器は、前記検知部（３，７，８，９）が、自機器への圧力変化を検出することにより、自機器が移動されたことを検知するようにしてあることを特徴とする。
【００７２】
本発明において、検知部は電気機器への圧力変化に基づいて、電気機器の移動を検知することができる。これにより、電気機器の設置又は運輸などにより衝撃を受けた場合には、電気機器が移動されたことを検知することができる。
【００７３】
本発明に係る電気機器は、前記検知部（８，９）が、自機器が傾いたことを検知することにより、自機器が移動されたことを検知するようにしてあることを特徴とする。
【００７４】
本発明において、検知部は、電気機器の傾斜に基づいて、電気機器の移動を検知することができる。これにより、電気機器の設置又は運輸などにより傾斜を発生した場合には、電気機器が移動されたことを検知することができる。
【００７５】
本発明に係る電気機器は、前記検知部（３，８，９）が、自機器が移動された場合に、電力を発生するようにしてあり、前記記憶部（４，５２）が、前記検知部に発生した電力により記憶状態を変化させるようにしてあることを特徴とする。
【００７６】
本発明において、電気機器が移動された場合に、検知部に電力を発生し、発生した電力により記憶部の記憶状態が変化する。これにより、簡単な構成で電気機器の移動を検知し記憶することができる。
【００７７】
本発明に係る電気機器は、前記検知部（７）が、自機器が移動された場合に、電気抵抗が変化するようにしてあり、前記記憶部（４，５２）が、前記検知部の電気抵抗の変化により記憶状態を変化させるようにしてあることを特徴とする。
【００７８】
本発明において、電気機器が移動された場合に、検知部の電気抵抗が変化し、これに伴い、記憶部の記憶状態が変化する。これにより、簡単な構成で電気機器の移動を検知し記憶することができる。
【００７９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８０】
１０  本体
１１  底板
１２  脚部
１３  制振部材
２  給電回路
３  圧電素子
４  コンデンサ
５  マイコン
７  メカニカルスイッチ
８  磁性体
９  コイル
【図１】
0006562741.tif 000002
【図２】
0006562741.tif 000003
【図３】
0006562741.tif 000004
【図４】
0006562741.tif 000005
【図５】
0006562741.tif 000006
【図６】
0006562741.tif 000007
【図７】
0006562741.tif 000008
【図８】
0006562741.tif 000009
【図９】
0006562741.tif 000010